(57)【要約】      （修正有）【課題】量子波による治療を行うにあたって、全身に亘る広範な治療を効率良く行えるようにする。【解決手段】内壁面２１が量子波を輻射および反射する材料、具体的には半導体パウダーを練り込んだ樹脂パネル２３から成り、内部に被治療者を収容する大型のドーム２を設け、量子波発生器３，４が、ドーム２の内壁面２１から量子波を輻射させる。したがって、その量子波は被治療者に照射され、さらに被治療者を透過したり被治療者で反射されたりした量子波は、ドーム２内で反射されて再び被治療者に照射されることになり、全身に亘る広範な治療を効率良く行うことができる。【選択図】図１
2017094051.tif 000002
【特許請求の範囲】
【請求項１】
内壁面が量子波を輻射および反射する材料から成り、被治療者を収容するドームと、
前記ドーム内に前記量子波を発生させる量子波発生器とを含むことを特徴とする量子治療器。
【請求項２】
前記ドームは、前記量子波を輻射することができる金属筐体の内側に樹脂パネルが貼付けられて構成され、その内側の樹脂パネルの樹脂に、前記量子波を反射する半導体パウダーが練り込まれていることを特徴とする請求項１記載の量子治療器。
【請求項３】
前記半導体パウダーは、２〜２０重量％、特に好ましくは５重量％含有されていることを特徴とする請求項２記載の量子治療器。
【請求項４】
前記ドームは、円筒状または略六角筒状に形成されることを特徴とする請求項１〜３の何れか１項に記載の量子治療器。
【請求項５】
前記量子波発生器は、外部の量子波発振器で発振された量子波を、量子テレポーテーション現象を利用して受信し、前記内壁面からドーム内に再放射させるアンテナを備えることを特徴とする請求項１〜４の何れか１項に記載の量子治療器。
【請求項６】
前記受信を行う量子波発生器におけるアンテナは、前記量子波発振器における送信を行うアンテナと、同種の金属材料で、小型の相似形に形成されることを特徴とする請求項５記載の量子治療器。
【請求項７】
前記アンテナは、六角筒状に形成されることを特徴とする請求項６記載の量子治療器。
【請求項８】
前記量子波発生器は、
２〜２００Ｈｚ、２５〜２５０Ｖの交流電圧を発生する交流電源と、
２０ｋＨｚ〜２ＭＨｚのＬＣ並列共振回路と、
前記交流電圧に、外部電磁波から前記ＬＣ並列共振回路に誘導された電圧が重畳された電圧を整流して、負の成分を前記ドームの内壁面に与える整流素子とを備えて構成されることを特徴とする請求項１〜７の何れか１項に記載の量子治療器。
【請求項９】
前記ドームの内壁面に、低周波で周期的に変化する、３０００〜１００００Ｖの負の高電圧を与える高圧電源をさらに備えることを特徴とする請求項１〜８の何れか１項に記載の量子治療器。
【請求項１０】
量子を予め定める周期で照射されることで、量子情報を記憶している半導体発光素子と、
前記半導体発光素子に通電することで発光させ、それによる放射光に、記憶されている前記量子情報に基づく量子波を重畳させ、前記ドーム内に放射させる電源とをさらに備えることを特徴とする請求項１〜９の何れか１項に記載の量子治療器。
【請求項１１】
前記予め定める周期は、２〜２ｋＨｚ、好ましくは３〜１００Ｈｚであることを特徴とする請求項１０記載の量子治療器。
【発明の詳細な説明】
【技術分野】
【０００１】
本発明は、量子波を用いて、被治療者を治療する量子治療器に関する。
【背景技術】
【０００２】
従来から、人体にマイクロ波や電磁波などを照射して、血行の改善を図ったり、患部の治癒効果を高めたりする治療器が市販されている。しかしながら、効果が乏しかったり、人体の内部への効果が低い（浸透し難い）ので、本件発明者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子の振動によって量子波を発生させ、患部に照射することで、前記患部の細胞を活性化している。
【０００４】
特許文献２では、その量子波および遠赤外線を医療用シートに照射し、その医療用シートを人体に貼付けることで、同様の効果を得るようにしている。
【先行技術文献】
【特許文献】
【０００５】
【特許文献１】特許第５６８４４３４号公報
【特許文献２】特許第５６５７８４１号公報
【発明の概要】
【発明が解決しようとする課題】
【０００６】
上述の特許文献１，２は、量子波を用いているので、人体の内部、特に前記マイクロ波や電磁波を遮蔽してしまう頭蓋の内部などの治療を行うこともでき、また小型の構成で取扱いも容易である。しかしながら、局所的な対応であり、全身に亘る広範な治療を、効率良く行うことができない。
【０００７】
本発明の目的は、量子波による治療を行うにあたって、全身に亘る広範な治療を効率良く行うことができる量子治療器を提供することである。
【課題を解決するための手段】
【０００８】
本発明の量子治療器は、内壁面が量子波を輻射および反射する材料から成り、被治療者を収容するドームと、前記ドーム内に前記量子波を発生させる量子波発生器とを含むことを特徴とする。
【０００９】
上記の構成によれば、内壁面が量子波を輻射および反射する材料から成り、内部に被治療者を収容する大型のドームを設ける。そして、量子波発生器が前記ドームの内壁面から量子波を輻射させると、その量子波は被治療者に照射され、さらに被治療者を透過したり被治療者で反射されたりした量子波は、ドーム内で反射されて再び被治療者に照射されることになる。
【００１０】
こうして、人体の内部に到達し易く、骨なども通過すると言う特徴を有する量子波を、被治療者の全身に、効率良く照射することができる。これによって、全身を活性化したり、複雑に関連する臓器の調子を整えたり、或いは全身に散らばった癌を萎縮させたりすることができる。量子としては、光子、電子、クウォーク、ニュートリノ等が挙げられる。
【００１１】
また、本発明の量子治療器では、前記ドームは、前記量子波を輻射することができる金属筐体の内側に樹脂パネルが貼付けられて構成され、その内側の樹脂パネルの樹脂、好ましくはＡＢＳに、前記量子波を反射する半導体パウダーが練り込まれていることを特徴とする。
【００１２】
上記の構成によれば、本件発明者の実験結果では、半導体パウダーは、高い効率で量子波を反射するので、ドームに内張りされる材料としては好適である。したがって、金属筐体に、量子波が与えられると、外部への放射も行われるが、内部は前記半導体パウダーを含む樹脂による繰返しの反射によって、量子波を効率良く封じ込めることができる。
【００１３】
さらにまた、本発明の量子治療器では、前記半導体パウダーは、２〜２０重量％、特に好ましくは５重量％含有されていることを特徴とする。
【００１４】
上記の構成によれば、本件発明者の実験結果では、半導体パウダーの濃度に対して、量子波の反射率は、２重量％程度で飽和を始めるので、最小の含有量はこの２重量％とすることで、コストパフォーマンスを高めることができる。そして、濃度ばらつきなどを考慮して、最適値は、５重量％とするのがよい。一方、最大値は、２０重量％でほぼ完全に飽和するので、材料費を抑え、また樹脂の強度低下を抑えるためにも、この２０重量％とするのがよい。
【００１５】
また、本発明の量子治療器では、前記ドームは、円筒状または略六角筒状に形成されることを特徴とする。
【００１６】
上記の構成によれば、円筒または略六角筒のドームは、光学測定で用いられる積分球のように機能し、その円筒または略六角筒の中心から下方に配置される被治療者に対して、前記内壁面で反射した量子波は集中する。
【００１７】
したがって、被治療者に効率的に量子を照射することができる。
【００１８】
さらにまた、本発明の量子治療器では、前記量子波発生器は、外部の量子波発振器で発振された量子波を、量子テレポーテーション現象を利用して、超光速で受信して、前記内壁面からドーム内に再放射させるアンテナを備えることを特徴とする。
上記の構成によれば、後述のような構成で、設置場所において、量子波を発生し、ドームに与えるようにしてもよいけれども、量子テレポーテーション現象を利用することで、距離および時間に拘わりなく、離間した場所に設けられた専用で大掛かりな量子波発振器で発生されたエネルギーの大きな量子波を、同時にドーム内に輻射することができる。
【００１９】
また、本発明の量子治療器では、前記受信を行う量子波発生器におけるアンテナは、前記量子波発振器における送信を行うアンテナと、同種の金属材料で、小型の相似形に形成されることを特徴とする。
【００２０】
上記の構成によれば、本件発明者の実験結果では、量子テレポーテーション現象を利用するにあたって、送信側のアンテナと受信側のアンテナとの金属材料が異なると、量子エネルギーの伝搬効率が悪く、また送信側のアンテナと受信側のアンテナとの形状が異なると、量子エネルギーは、殆ど伝搬されなくなる。
【００２１】
したがって、送信側のアンテナと受信側のアンテナとを同種の金属材料で相似形に形成することで、量子エネルギーを効率的に伝搬することができる。中でも、特にアルミが好ましい。
【００２２】
さらにまた、本発明の量子治療器では、前記アンテナは、六角筒状に形成されることを特徴とする。
【００２３】
上記の構成によれば、本件発明者の実験結果では、相似のアンテナが六角筒状であると、量子エネルギーの伝搬効率が最も高い。特に、前記六角筒を半割れにし、３つの壁面を有する一対の部材の組合わせで実現する場合、前記部材は、矩形の金属板を３等分する位置で１２０度折り曲げることで、容易に形成することができる。
【００２４】
また、本発明の量子治療器では、前記量子波発生器は、２〜２００Ｈｚ、２５〜２５０Ｖ、好ましくは１００Ｖ、１００〜３００ｍＡの交流電圧を発生する交流電源と、２０ｋＨｚ〜２ＭＨｚのＬＣ並列共振回路と、前記交流電圧に、外部電磁波から前記ＬＣ並列共振回路に誘導された電圧が重畳された電圧を整流して、負の成分を前記ドームの内壁面に与える整流素子とを備えて構成されることを特徴とする。
【００２５】
上記の構成によれば、ドームの設置場所において、量子波を発生することができる。また、このような低周波電圧で、前記量子テレポーテーションによってドームの内壁面から輻射される量子波を、増強することもできる。
【００２６】
さらにまた、本発明の量子治療器では、前記ドームの内壁面に、低周波、たとえば５０〜６０Ｈｚで周期的に変化する、３０００〜１００００Ｖの負の高電圧を与える高圧電源をさらに備えることを特徴とする。
【００２７】
上記の構成によれば、本件発明者の実験結果では、市販の高電圧治療器などを前記ドームの内壁面に接続して低周波で負の高電圧を与えることで、前記ドームの内壁面から輻射される量子波を増強することができる。
【００２８】
また、本発明の量子治療器では、量子を予め定める周期で照射されることで、量子情報を記憶している半導体発光素子と、前記半導体発光素子に通電することで発光させ、それによる放射光に、記憶されている前記量子情報に基づく量子波を重畳させ、前記ドーム内に放射させる電源とをさらに備えることを特徴とする。
【００２９】
上記の構成によれば、本件発明者は、また、量子エネルギーの伝送手段に光を使用可能なことを発見し、これを上述の量子治療器に追加する。
【００３０】
ここで、光を発する素子には、様々な物が存在するが、上述のように、光を量子エネルギーのキャリアとして用いるにあたって、同じ光を発する素子でも、白熱電球や蛍光灯には量子が蓄積されず、ＬＥＤや半導体レーザなどの半導体発光素子でないと効果の無いことが、本件発明者の実験によって確認されている。そこで、前記素子としては、量子を予め定める周期で照射されることで、量子情報を記憶しているＬＥＤなどの半導体発光素子を用い、その半導体発光素子に通電する電源を備える。そして、通電が行われると、半導体発光素子から放射される光をキャリアとして、該光に、記憶されている前記量子情報に基づく量子エネルギーが重畳され、被照射部位へ伝搬される。
【００３１】
前記量子情報の記憶は、具体的に、光子、電子、クウォーク、ニュートリノ等の量子を予め定める周期で照射することで行うことができる。その量子の照射は、前記予め定める周期で変動する電位や電場中に半導体発光素子を所定時間放置することで行うことができる。前記所定時間は、２〜３分以上、好ましくは、４〜５分以上である。前記変動電位や電場中では、たとえばクウォークが発生し易く（多く発生し）、ニュートリノは発生の可能性が考えられる。
【００３２】
したがって、その放射された量子波を生物が浴びた時、組織を活性化し、具体的には原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。しかも、前記予め定める周期に応じて、対象とする症状を、異ならせることができる。また、半導体発光素子を量子化するだけであるので、治療器自体を量子化するのに比べて極めて容易である。
【００３３】
さらにまた、本発明の量子治療器では、前記予め定める周期は、２〜２ｋＨｚ、好ましくは３〜１００Ｈｚであることを特徴とする。
【００３４】
上記の構成によれば、人の血行改善効果を得ることができ、肩凝りやむくみが解消したり、傷口が早く治ったりするようになる。
【発明の効果】
【００３５】
本発明の量子治療器は、以上のように、内壁面が量子波を輻射および反射する材料から成り、内部に被治療者を収容する大型のドームを設け、量子波発生器が前記ドームの内壁面から量子波を輻射させる。
【００３６】
それゆえ、その量子波は被治療者に照射され、さらに被治療者を透過したり被治療者で反射されたりした量子波は、ドーム内で反射されて再び被治療者に照射されることになり、全身に亘る広範な治療を効率良く行うことができる。
【図面の簡単な説明】
【００３７】
【図１】本発明の実施の一形態に係る量子治療器の全体構成を示す図である。
【図２】前記量子治療器の使用状態を示す図である。
【図３】ドームの構造を示す模式的な鉛直断面図である。
【図４】第２の量子波発生器の電気回路図である。
【図５】第３の量子波発生器であるＬＥＤ量子照射器周りの構成を示す斜視図である。
【図６】ＬＥＤへの量子情報の照射方法を模式的に示す図である。
【発明を実施するための形態】
【００３８】
図１は本発明の実施の一形態に係る量子治療器１の全体構成を示す図であり、図２はその量子治療器１の使用状態を示す図である。図２では図１の構成を、一部省略している。この量子治療器１は、被照射物としての被治療者９に治療を行う場所に設置される量子照射用ドーム２と、量子波発生器としてのアンテナ３と、他の量子波発生器４と、高電圧治療器５と、さらに他の量子波発生器としてのＬＥＤ量子照射器６と、該治療を行う場所、或いは離間した任意の場所などの何れかに設置される量子波発振器としてのアンテナ８とを備えて構成される。
【００３９】
ドーム２は、その内壁面２１が量子波を輻射および反射する材料から成る大型のドームであり、被治療者９を収容する。このドーム２内には、アンテナ３、量子波発生器４およびＬＥＤ量子照射器６で発生された量子波が放射される。放射された量子波は被治療者９に照射され、さらに被治療者９を透過したり被治療者９で反射されたりした量子波は、ドーム２内で反射されて再び被治療者９に照射されることになる。
【００４０】
こうして、人体の内部に到達し易く、骨なども通過すると言う特徴を有する量子波を、被治療者９の全身に、効率良く照射することができる。これによって、全身を活性化したり、複雑に関連する臓器の調子を整えたり、或いは全身に散らばった癌を萎縮させたりすることができる。量子としては、光子、電子、クウォーク、ニュートリノ等が挙げられる。
【００４１】
図３は、ドーム２の構造を示す模式的な鉛直断面図である。大略的に、ドーム２は、量子波を輻射することができる金属筐体２２の内側に、量子波を反射することができる樹脂パネル２３が貼付けられて構成される。樹脂パネル２３の樹脂２３１は、好ましくはＡＢＳであり、その樹脂２３１に、量子波を反射する半導体パウダー２３２が練り込まれ、成型されて該樹脂パネル２３が構成される。本件発明者の実験結果では、半導体パウダー２３２は、高い効率で量子波を反射するので、ドーム２に内張りされる材料としては好適である。したがって、金属筐体２２に、量子波が与えられると、外部への放射も行われるが、内部は前記半導体パウダー２３２を含む樹脂２３１による繰返しの反射によって、量子波を効率良く封じ込めることができる。
【００４２】
そして、量子治療器１に用いられる量子照射用ドーム２としては、円筒状またはこの図３のような略六角筒状に形成されることが好ましい。そうすることで、円筒または略六角筒のドームは、光学測定で用いられる積分球のように機能し、その円筒または略六角筒の中心から下方に配置される被治療者９に対して、内壁面２１で反射した量子波が集中する。これによって、被治療者９に、効率的に量子を照射することができる。また、量子照射用ドーム２は、被治療者９としての人間を内部に収容するので、前記の量子波の効率的な照射の面だけでなく、閉塞感を持たせ無いように、端部が開放した前記略六角筒状または円筒状が好ましい。
【００４３】
金属筐体２２は、外殻２２１、中殻２２２および内殻２２３の金属の３層構造で構成され、中殻２２２内で内殻２２３を電気的に絶縁して支持する絶縁体２２４および外殻２２１に中殻２２２を支持させる支持部材２２５を、さらに備えている。導電性を有する外殻２２１、中殻２２２および内殻２２３は、錫、亜鉛、ＳＵＳ３０４或いはアルミなどの金属から成り、本実施形態では大略六角筒状に形成される。
【００４４】
外殻２２１は、強度を得るために、相対的に肉厚な、たとえば３ｍｍの金属板で形成される。中殻２２２は、外殻２２１と電気的に接続される支持部材２２５によって、前記外殻２２１の内側に予め定める間隔、たとえば１０ｃｍを開けて配置される。また、中殻２２２は、量子波を反射するのに好適な材料から成り、たとえば３ｍｍの金属板で形成される。内殻２２３は、相対的に薄肉、たとえば１ｍｍで、量子波の発振に好適な金属板で形成される。また、内殻２２３は、発泡スチロールなどの絶縁体２２４によって、中殻２２２の内側に予め定める間隔、たとえば１０ｍｍを開けて、かつ中殻２２２から電気的に絶縁されて配置される。こうして、極めて効率的に、被治療者９に量子波を照射できるようになっている。
【００４５】
そして、内殻２２３には、後述するように量子テレポーテーションでアンテナ３によって受信された量子波が、ケーブル３１を介して与えられる。アンテナ３は、金属筐体２２の頂部２６に設置されたカバー３５内に収納される。前記カバー３５は、金属製で、アンテナ３を収納することで、該アンテナ３と電気的に導通する。カバー３５は、外殻２２１およびそれに接続される中殻２２２とは、ゴムシート３３などで電気的に絶縁され、それらの外殻２２１および中殻２２２に形成された接続孔２７を挿通したケーブルが、該カバー３５の底面と、内殻２２３の天面とを電気的に接続する。
【００４６】
なお、図３では模式的に示しているが、金属筐体２２の六面の内の底面は、被治療者９が横たわり、六角筒の軸方向に引出し／収納可能な寝台２４が形成されている。その寝台２４側には、内殻２２３および樹脂パネル２３が設けられ、内殻２２３は残余の面の内殻２２３と、ケーブル２８で電気的に接続されている。前記底面の床面側には、外殻２２１および中殻２２２が形成され、被治療者９の出入りのために、中殻２２２上に形成されたレール２５を、前記寝台２４が走行可能となっている。
【００４７】
上述のように構成されるドーム２において、本件発明者の実験結果によれば、半導体パウダー２３２の濃度に対して、量子波の反射率は、２重量％程度で飽和を始めるので、最小の含有量は、この２重量％とすることが好ましい。そうすることで、コストパフォーマンスを高めることができる。そして、濃度ばらつきなどを考慮して、最適値は、５重量％とするのが、特に好ましい。一方、最大値は、２０重量％でほぼ完全に飽和するので、材料費を抑え、また樹脂の強度低下を抑えるためにも、この２０重量％とするのが好ましい。
【００４８】
樹脂パネル２３は、上述のように、ＡＢＳなどの樹脂２３１に半導体パウダー２３２が練り込まれ、成型によって形成される。上述のような略六角筒或いは略円筒の内壁面を形成するために、樹脂パネル２３は、たとえば５ｃｍ角程度の小さい面積に成型され、ビス２９によって、内殻２２３にねじ止め固定される。この樹脂パネル２３が、厚ければ反射の効果が大きくなるが、コストが掛る。そこで、樹脂パネル２３２を２ｍｍ以上の板厚とすることで、半導体パウダー２３２が前記５重量％含有されている場合における所期の反射率を得ることができる。また、２ｍｍとすることで、コストパフォーマンスを高めることができる。
【００４９】
また、本件発明者の実験結果によれば、半導体パウダー２３２としては、金属酸化物やケイ酸塩化合物が、量子波を反射させる効果が大きく、好適である。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。さらに、上記の金属酸化物やケイ酸塩化合物は、精製された鉱物ではなく、天然鉱物のままで、それらを含む鉱石を粉砕して使用してもよい。
【００５０】
さらに、樹脂２３１には、導電性を持たせるための金属パウダーが練り込まれていることが好ましい。金属パウダーとしては、たとえば錫や亜鉛の粉末である。このように半導体パウダー２３２に金属パウダーが練り込まれていることで、樹脂パネル２３が量子波を反射する効果をより大きくすることができる。そして、これらの半導体パウダー２３２および金属パウダーは、１０μｍ以上、１００μｍ以下、特に好ましくは３０μｍ以上、５０μｍ以下（たとえば３２５メッシュ）の粉体とすることで、樹脂パネル２３が量子波を反射する効果をより大きくすることができる。
【００５１】
以下に、量子治療器１による本発明の実施の一形態に係る量子波の照射方法について詳述する。本実施形態では、量子波は、アンテナ３と、量子波発生器４と、ＬＥＤ量子照射器６とによって発生され、上述のように構成されるドーム２を用いて、極めて効率的かつ相乗効果を持って、被治療者９に照射されることになる。
【００５２】
先ず、第１の量子波発生器としてのアンテナ３は、量子波発振器で発振され、アンテナ８から送信された量子波を、前記量子テレポーテーション現象を利用して、超光速で受信し、ケーブル３６を介して内殻２２３の内壁面２１から、ドーム２内に再放射させる。再放射される量子としては、前記光子、電子、クウォーク、ニュートリノ等である。
【００５３】
前記量子テレポーテーション現象を利用するには、受信を行うアンテナ３は、送信を行うアンテナ８と、同種の金属材料で、小型の相似形に形成されることが好ましい。これは、本件発明者の実験結果では、送信側のアンテナ８と受信側のアンテナ３との金属材料が異なると、量子エネルギーの伝搬効率が悪く、また送信側のアンテナ８と受信側のアンテナ３との形状が異なると、量子エネルギーは、殆ど伝搬されなくなるためである。前記金属材料としては、前記の錫、亜鉛、ＳＵＳ３０４或いはアルミなどである。中でも、特にアルミが好ましい。こうして、送信側のアンテナ８と受信側のアンテナ３とを同種の金属材料で相似形に形成することで、量子エネルギーを効率的に伝搬することができる。
【００５４】
さらに、本件発明者の実験結果によれば、相似のアンテナ３，８は、六角筒状であると、量子エネルギーの伝搬効率が最も高い。特に、図１で示すように、前記六角筒を半割れにし、３つの壁面３１１，３１２，３１３；３２１，３２２，３２３、８１１，８１２，８１３；８２１，８２２，８２３を有する一対の部材３１，３２；８１，８２の組合わせで実現する場合、前記部材３１，３２；８１，８２は、矩形の金属板を３等分する位置で１２０度折り曲げることで、容易に形成することができる。
【００５５】
ここで、後述のような他の量子波発生器４やＬＥＤ量子照射器６によって、ドーム２の設置場所において、量子波を発生し、ドーム２に与えることは可能である。しかしながら、前記の量子テレポーテーション現象を利用することで、距離および時間に拘わりなく、量子治療器１の外部に設けられた専用で大掛かりな量子波発振器で発生されたエネルギーの大きな量子波を、同時にドーム２内に輻射することができる。
【００５６】
次に、第２の量子波発生器としての量子波発生器４は、たとえば図４で示されるように構成される。図４の量子波発生器４は、交流電圧を発生する交流電源４１と、前記交流電圧に、外部電磁波から誘導された電圧を重畳するＬＣ並列共振回路４２と、前記重畳された電圧を整流して、負の成分を前記ドーム２の内壁面２１に与える整流素子４３とを備えて構成される。整流素子４３からの出力は、ケーブル４４を介して、前記内殻２２３に与えられる。
【００５７】
交流電源４１は、可変周波数で交流を発生し、その周波数範囲は、２Ｈｚ以上、２００Ｈｚ以下であり、好ましくは１００Ｈｚである。また、交流電源４１の出力電圧は、２５Ｖ以上、２５０Ｖ以下、好ましくは１００Ｖで、１００ｍＡ以上、３００ｍＡ以下の電流で出力する。ＬＣ並列共振回路４２は、前記外部電磁波から共振周波数成分を抽出する。その共振周波数は、２０ｋＨｚ以上、２ＭＨｚ以下である。そして、交流電源４１の交流電圧に、外部電磁波からＬＣ並列共振回路４２に誘導された電圧が重畳された電圧を整流素子４３で整流して、負の成分をドーム２の内壁面２１に与えることで、該内壁面から、前記光子、電子、クウォーク、ニュートリノ等の量子が輻射される。なお、整流素子４３を設けずに、全波の成分を内壁面２１に与えても、量子は輻射されるものの、本件発明者の実験結果によれば、輻射量は大幅に減少してしまうので、負の成分だけを与えることが好ましい。
【００５８】
この量子波発生器４によって、ドーム２の設置場所において、量子波を発生することができる。また、このような低周波電圧で、前記量子テレポーテーション現象によってドーム２の内壁面２１から輻射される量子波を、増強することもできる。
【００５９】
ドーム２は、上述のように地面から絶縁されているが、数μＡ〜数十μＡの低周波の微弱電流が、該ドーム２から空中へ流れる。そこで、該ドーム２と地面との間に高抵抗を入れて、前記微弱電流、したがって被治療者９に照射される量子エネルギーを、適切に調整することも可能である。すなわち、装置の規模などに応じて、放電量を大きくすると、使用できるエネルギーが小さくなると言う具合である。
【００６０】
好ましくは、本実施形態の量子治療器１では、高圧電源５が、さらに設けられている。この高圧電源５は、ケーブル５１を介して、前記ドーム２の内壁面２１に、低周波、たとえば５０Ｈｚや６０Ｈｚで周期的に変化する３０００Ｖ以上、１００００Ｖ以下の負の高電圧を与える。本件発明者の実験結果では、市販の高電圧治療器などから成る高圧電源５を前記ドーム２の内壁面２１に接続して低周波の負の高電圧を与えることで、前記ドーム２の内壁面２１から輻射される量子波を増強することができ、好適である。図１の例では、高圧電源５を、量子波増幅器として示し、インジケータ５２が点灯すると３０００Ｖを出力しており、インジケータ５３が点灯すると６０００Ｖを出力しており、インジケータ５４が点灯すると９０００Ｖを出力していることを表す。
【００６１】
また好ましくは、本実施形態の量子治療器１では、マイクロ波発振器が設けられてもよい。そのマイクロ波発振器には、美顔器に用いられているものを使用することができる。マイクロ波は、水晶振動子に電圧を掛けることで発生させることができ、発振周波数は、その水晶振動子に接続される発振板の材質によって変化させることができる。前記発振板は、カーボン、黒鉛、チタン、マグネシウム、ＳＵＳなどの導電体板から成り、前記発振周波数は、１０〜２００ＭＨｚ、パワーは２〜３０Ｗである。このマイクロ波によって、量子波との相乗効果で治療効果を高めることができ、マイクロ波の周波数を変化することで、前記被治療者９における治療対象部位を変更することができる。
【００６２】
続いて、第３の量子波発生器としてＬＥＤ量子照射器６を説明する。そのＬＥＤ量子照射器６周りの構成を、図５に示す。図５は、ドーム２の後方天井付近を見上げて示す斜視図である。ドーム２の後方は、通気用の開口２０１を有する端板２０で覆われている。その天井付近には、中央に監視カメラ７９が設置され、両側にはスピーカ７１，７２が設置され、監視カメラ７９の下方に、ＬＥＤ量子照射器６が設置されている。監視カメラ７９は、図示しない該量子治療器１の操作用のパーソナルコンピュータなどと接続され、被治療者９のモニターが可能となっている。スピーカ７１，７２は、図１で示すＣＤ７４をプレーヤ７３で再生した音楽を放射し、被治療者９をリラックスさせる。
【００６３】
このＬＥＤ量子照射器６は、量子エネルギーの伝送手段に光を使用可能であると言う本件発明者の発見に基づくものであり、光に、量子エネルギーを重畳して、被治療者９まで伝搬させると言う、新規な量子治療器である。ＬＥＤ量子照射器６は、多数のＬＥＤ６１の集合体で構成されており、各ＬＥＤ６１は共通の基板に搭載されて、図示しない電源からの直流電圧が与えられることで点灯する。そのＬＥＤ６１の搭載された基板は、筐体６２内に格納され、前面には、ＬＥＤ６１の保護および集光を兼ねて、各ＬＥＤ６１に対応したレンズを有するカバーが被せられる。ＬＥＤ量子照射器６は、上記のように、光に量子エネルギーを重畳して被治療者９まで伝搬するので、先ず直達光をできるだけ多く被治療者９に届くように、該ＬＥＤ量子照射器６は、ドーム２の天井に、所定の俯角（見下ろし角）を持って取付けられる。
【００６４】
ここで、光を発する素子には、様々な物が存在するが、上述のように、光を量子エネルギーのキャリアとして用いるにあたって、同じ光を発する素子でも、白熱電球や蛍光灯には量子が蓄積されず、ＬＥＤや半導体レーザなどの半導体発光素子でないと効果の無いことが、本件発明者の実験によって確認されている。そこで、前記素子としては、量子を予め定める周期で照射されることで、量子情報を記憶しているＬＥＤなどの半導体発光素子を用い、その半導体発光素子に通電する電源を備える。そして、通電が行われると、半導体発光素子から放射される光をキャリアとして、該光に、記憶されている前記量子情報に基づく量子エネルギーが重畳され、被照射部位へ伝搬される。
【００６５】
図６は、ＬＥＤ６１への量子情報６９の照射方法を模式的に示す図である。図６（ａ）で示すように、量子情報６９の照射は、ＬＥＤ６１を導電板６３上に載置し、その導電板６３に予め定める周期の負の電圧を印加することで行われる。導電板６３に負の電位や電場を所定時間印加することで、該導電板６３から発生した量子をＬＥＤ６１に蓄積することができる。導電板６３は、図６（ｂ）で示す印加回路６５や、図６（ｃ）で示す印加回路６６からの負の電圧が印加されることで、前記電位や電場を発生する。導電板６３は、図６（ａ）で示すように、たとえばＭΩ以上の高抵抗６４を介して接地されていてもよい。
【００６６】
印加回路６５は、交流電源６５１の一方の端子に接続されるダイオード６５２および抵抗６５３の直列回路と、他方の端子に接続されるダイオード６５４および抵抗６５５の直列回路とを備えて構成される。ダイオード６５２，６５４のカソードが交流電源６５１に接続され、アノードが抵抗６５３，６５５の一端に接続される。これによって、抵抗６５３，６５５の他端から取出された負で半波の電圧が、導電板６３に印加される。交流電源６５１は、単相２線の場合、１線は柱上変圧器内などで接地されており、この印加回路６５は、２線の何れがホット側か不明な場合に、確実に負の電圧を取出すことができるようになっている。
【００６７】
また、印加回路６６は、ダイオード６６２〜６６５から成るダイオードブリッジで構成される。交流電源６６１の一方の端子にはダイオード６６２のカソードおよびダイオード６６４のアノードが接続され、他方の端子にはダイオード６６３のカソードおよびダイオード６６５のアノードが接続され、ダイオード６６４，６６５のカソードが接地される。これによって、ダイオード６６２，６６３のアノードから取出された負で全波の電圧が、導電板６３に印加される。
【００６８】
交流電源６５１，６６１は、２Ｈｚ以上、２ｋＨｚ以下、好ましくは３Ｈｚ以上、１００Ｈｚ以下の交流電圧を印加する。交流電源６５１，６６１が商用電源である場合、５０または６０Ｈｚで、たとえば１００Ｖ（実効値）の電圧が、導電板６３に印加されることになる。なお、本実施形態で交流電源６５１，６６１を使用しているのは、回路が簡単であるためで、周期的な負の電圧としては、三角波、矩形波或いはパルス波などであってもよい。
【００６９】
このように導電板６３に周期的な負の電圧を印加することで、ＬＥＤ６１には、光子、電子、クウォーク、ニュートリノ等、１７種の量子の内の何れかが照射される（中でも、クウォークが発生し易く（多く発生し）、ニュートリノは発生の可能性が考えられる）ことになる。それらの量子が、所定時間、具体的には２〜３分以上、好ましくは、４〜５分以上照射されることで、該ＬＥＤ６１には量子情報６９が記憶される。そして、その量子情報６９を記憶したＬＥＤ６１に直流電源から通電すると、該ＬＥＤ６１から量子エネルギーが放射されることになる。
【００７０】
したがって、その放射された量子エネルギーを生物が浴びた時、組織を活性化し、具体的には原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。しかも、前記予め定める周期に応じて、対象とする症状を、異ならせることができる。特に、前記予め定める周期を３〜１００Ｈｚとすると、人の血行改善効果を得ることができ、肩凝りやむくみが解消したり、傷口が早く治ったりするようになる。
【００７１】
以下に、本件発明者の治験結果を示す。現在、４台の治療器が稼働中で、治験データは２００例以上集まり、顕著な例では、４期の肝臓癌とII型糖尿病とを患う６７才の男性患者が、１時間、２回の照射で、癌が完全に消失している。本治験結果では、このような８０％以上の改善例を抽出しているが、その２００例以上の症例から、たとえば認知症を改善できる周波数や、脳細胞の再生を速める周波数が明らかになるなどの効果も得られている。治験では、ＬＥＤ量子照射器６は使用せず、アンテナ３および量子波発生器４を使用して、ドーム２内に量子波を導入している。
【００７２】
加齢性黄斑変性症で病歴１５年の女性→４０分１回の治療で１００％視力が回復
白血病で病歴５年の男性→１時間３回の治療で８０％回復
肺癌で病歴２年の男性→１時間３回の治療で癌細胞消失
放射線被曝症で病歴１年の女性→１時間２回の治療で８０％改善
大腸癌（腸閉塞）で病歴２年の女性→１時間３回の治療で癌細胞消失
脳性麻痺（右半身）で病歴４２年の女性→１時間１０回の治療で感覚回復、歩行器で歩行可能に８０％回復
子宮頸癌で病歴１年の女性→３０分３回の治療で癌は８０％縮小
その他の殆どの原因不明症について、総ての症例で改善効果が認められ、改善効果が認められ無かった症例は皆無である。
【００７３】
以上のように、本実施形態の量子治療器１では、第１の量子波発生器であるアンテナ３からの量子テレポーテションによる量子波、第２の量子波発生器４からの量子波および第３の量子波発生器であるＬＥＤ量子照射器６からの量子波の何れかを、量子照射用ドーム２内に放射し、被治療者９に照射するので、極めて効率的かつ相乗効果を持って、被治療者９の治療を行うことができる。
【００７４】
本実施形態は、人間の治療を行う量子治療器１として利用される例を説明したが、上述の構成は、他の被照射物にも適用可能である。たとえば、その他の被照射物としては、食物や生物、工業製品などの種々の物体であり、その原子核の変性を、効率的に行うこともできる。
【符号の説明】
【００７５】
１    量子治療器
２    量子照射用ドーム
２１    内壁面
２２    金属筐体
２２１  外殻
２２２  中殻
２２３  内殻
２２４  絶縁体
２２５  支持部材
２３    樹脂パネル
２３１  樹脂
２３２  半導体パウダー
２４    寝台
２５    レール
２８    ケーブル
３    アンテナ
３１，３２    一対の部材
３１１，３１２，３１３；３２１，３２２，３２３    壁面
３３    ゴムシート
３５    カバー
３６    ケーブル
４    量子波発生器
４１    交流電源
４２    ＬＣ並列共振回路
４３    整流素子
４４    ケーブル
５    高圧電源
５１    ケーブル
５２〜５４    インジケータ
６    ＬＥＤ量子照射器
６１    ＬＥＤ
６２    筐体
６９    量子情報
７１，７２    スピーカ
７３    プレーヤ
７９    監視カメラ
８    アンテナ
８１，８２    一対の部材
８１１，８１２，８１３；８２１，８２２，８２３    壁面
９    被治療者
【図１】
2017094051.tif 000003
【図２】
2017094051.tif 000004
【図３】
2017094051.tif 000005
【図４】
2017094051.tif 000006
【図５】
2017094051.tif 000007
【図６】
2017094051.tif 000008